(57)【要約】【課題】組み立てが容易なガラリを提供する。【解決手段】本発明のガラリ１は、複数の羽根材７と、羽根材７の長手方向と直交する方向に配置した外材９と、外材９の長手方向にスライド自在に外材９の内部に嵌合した内材１１とを備え、羽根材７は長手方向と直交する方向の一側に一方の係止部２１を他側に他方の係止部１７を有しており、外材９は一方の係止部２１に係合する係合溝２５を外材９の長手方向に間隔をおいて複数有し、内材１１は他方の係止部１７に係合する係合溝２９を内材１１の長手方向に間隔をおいて複数有し、外材９の係合溝２５と内材１１の係合溝２９との間に羽根材７を挟着してある。【選択図】      図１
2004257012.tif 000002
【特許請求の範囲】
【請求項１】
複数の羽根材と、羽根材の長手方向と直交する方向に配置した外材と、外材の長手方向にスライド自在に外材の内部に嵌合した内材とを備え、羽根材は長手方向と直交する方向の一側に一方の係止部を他側に他方の係止部を有しており、外材は一方の係止部に係合する係合溝を外材の長手方向に間隔をおいて複数有し、内材は他方の係止部に係合する係合溝を内材の長手方向に間隔をおいて複数有し、外材の係合溝と内材の係合溝との間に羽根材を挟着してあることを特徴とするガラリ。
【発明の詳細な説明】
【０００１】
【発明の属する技術分野】
本発明は、ガラリに関する。
【０００２】
【従来の技術】
特許文献１には、内材に羽根材の嵌合孔を複数形成しておき、各羽根材の長手方向端を内材の嵌合孔に嵌め込み、羽根材を嵌めた内材を外材の内部に嵌合したガラリが開示されている。更に、このガラリでは、外材の内部に設けた当接部に羽根材を当接させることにより、弾性を持って羽根材を保持している。
【０００３】
【特許文献１】
実開平３−１１７０８９号公報
【０００４】
【発明が解決しようとする課題】
しかし、特許文献１に開示の技術では、内材に形成した嵌合孔に各羽根材の端の形状を一致させて、内材に羽根材を一つ一つ嵌め入れる必要があるので、組み立てに手間がかかるという問題がある。
そこで、本発明は、組み立てが容易なガラリの提供を目的とする。
【０００５】
【課題を解決するための手段】
請求項１に記載の発明は、複数の羽根材と、羽根材の長手方向と直交する方向に配置した外材と、外材の長手方向にスライド自在に外材の内部に嵌合した内材とを備え、羽根材は長手方向と直交する方向の一側に一方の係止部を他側に他方の係止部を有しており、外材は一方の係止部に係合する係合溝を外材の長手方向に間隔をおいて複数有し、内材は他方の係止部に係合する係合溝を内材の長手方向に間隔をおいて複数有し、外材の係合溝と内材の係合溝との間に羽根材を挟着してあることを特徴とする。
【０００６】
この請求項１に記載の発明では、ガラリの組み立ては、外材の内部に内材をスライド自在に嵌合し、外材の係合溝と内材の係合溝との間の間隔を広げておき、外材の係合溝と内材の係合溝との間で、各羽根材の一方の係止部を外材の係合溝に係止した後、内材の係合溝と外材の係合溝との間の間隔を狭める方向に内材をスライドして、他方の係止部を内材の係合溝に係止する。これにより複数の羽根材が内材の係合溝と外材の係合溝とにより同時に挟着される。
本発明では、各羽根材を嵌合孔に嵌め入れたりネジ止めする必要がないので、ガラリの組み立てが容易にできる。
また、ガラリの組み立て後に、羽根材が損傷した場合等には、外材に対して内材をスライドして羽根材の挟着を解除することにより、羽根材の交換やメンテナンスが容易にできる。
【０００７】
【発明の実施の形態】
以下に、添付図面を参照して本発明の実施の形態を説明する。図１は本発明の実施の形態にかかるガラリの図であり、（ａ）は図２のＡ−Ａ断面図において窓枠を除いて示した図であり、（ｂ）は（ａ）に示す羽根材の保持具を上から見た平面図であり、（ｃ）は内材を抜き出して示す側面図であり、図２は本実施の形態にかかるガラリを用いたガラリ窓の正面図である。
ガラリ窓３には、枠５内に本実施の形態にかかるガラリ１が装着されている。ガラリ１は、複数の羽根材７と、羽根材の保持具８とを備えており、保持具８は外材９と、内材１１とから構成されている。
羽根材７は、上下方向に間隔をおいて複数配置されており、各羽根材７は長手方向を水平にしている。羽根材７には、幅方向（長手方向に交差する方向）の一側縁部（上側縁部）に一方の係止部２１と他方の係止部１７が羽根材７の長手方向に設けられている。
本実施の形態では、一方の係止部２１は基板１５の裏面から突設した突部であり、他方の係止部１７は羽根材７の基板１５の一側縁部（上側縁部）である。
外材９は、横断面が略コ字形状であり、コ字を形成する両側壁２３、２３に一方の係止部２１の係合溝２５が形成されている。係合溝２５は外材９の長手方向に間隔をおいて複数形成されている。各係合溝２５は、上向きに開いている。
内材１１は外材９の内部に設けてあり、外材９の長手方向にスライド自在に嵌合されている。即ち、外材９の内部には案内溝３２が形成されており、内材１１には案内溝３２に係合する突条３４が形成されている。
内材１１は外材９と同様に横断面が略コ字形状であり、その両側壁２７に他方の係止部１７に係合する係合溝２９が内材１１の長手方向に間隔をおいて複数形成されている。内材１１の各係合溝２９は下向きに開いている。
そして、各羽根材７の一方及び他方の係止部２１、１７は、一方の係止部２１が外材９の係合溝２５に上から係合して、他方の係止部１７が内材１１の係合溝２９に下から係合して、一方及び他方の係止部２１、１７が外材９の係合溝２５と、内材１１の係合溝２９とに上下方向から挟まれて、各羽根材７が挟着されている。
また、外材９と内材１１とは、ネジ３１により固定されてスライドできないようになっている。
【０００８】
次に、本発明にかかるガラリ１の組み立て及び作用について説明する。ガラリ１の組み立ては、外材９の長手方向一端から内材１１を内部に通して嵌合し、外材９に対して内材１１をスライド自在に設けておく。また、外材の係合溝２５と内材１１の係合溝２９との間の間隔を一方及び他方の係止部２１、１７の間隔よりも広くあけておく。
外材９の係合溝２５と内材１１の係合溝２９との間に羽根材７の他方の係止部１７を配置するとともに、外材９の係合溝２５に一方の係止部２１を係合する。外材９の係合溝２５と内材１１の係合溝２９との間の間隔は一方及び他方の係止部２１、１７の間の間隔よりも十分広くとっているので、外材９の係合溝２５と一方の係止部２１との係合が容易にできる。
そして、各羽根材７の一方の係止部２１と他方の係止部１７とを外材の係合溝２５と内材の係合溝２９との間に配置して、且つ一方の係止部２１を外材９の係合溝２５に係合したところで、内材１１をスライドして内材１１の係合溝２７を他方の係止部１７に係合し、一方及び他方の係止部２１、１７を外材の係合溝２５と内材の係合溝２９とで挟持する。
全ての羽根材７を外材９と内材１１とに固定した後、外材９と内材１１とをネジ３１でスライドしないように固定する。
本実施の形態では、各羽根材７について、内材１１の係合溝２９と外材９の係合溝２５との間に羽根材７の一方及び他方の係止部２１、１７を配置し、次に内材１１を外材９に対してスライドするだけで、複数の羽根材７を同時に挟着できるので、ガラリ１の組み立てに時間がかからず、且つ組み立て作業が容易である。特に、羽根材７毎に羽根材の形状にあった嵌合孔に嵌合したり、ネジ固定しないので、組み立て作業性に優れる。
また、ガラリ１の組み立て後に、ネジ３１を外して、外材９に対して内材１１をスライドして各羽根材７の挟着を解除することにより、任意の羽根材７の交換も容易にできる。
【０００９】
本発明は、上述した実施の形態に限らず、本発明の要旨を逸脱しない範囲で種々変形可能である。
例えば、外材９と内材１１との固定は、ネジ止めることに限らず、かしめ止めにより固定するものであってもよい。
羽根材７はその長手方向の両端部で、外材９と内材１１とにより挟着することに限らず、更に、長手方向の中間部も外材９と内材１１で挟着するものであってもよい。
ガラリ１は、ガラリ窓３に限らず、フェンス等に用いるものであってもよい。
羽根材７はその長手方向を左右にして設けることに限らず、羽根材７の長手方向を上下にして設け、外材９と内材１１とをそれらの長手方向を左右にして設けてもよい。
図３に示すように、他方の係止部１７は、基板１５の裏面に基材１５とは別に形成したものであってもよい。
【００１０】
【発明の効果】
請求項１に記載の発明によれば、内材の係合溝と外材の係合溝との間に羽根材の一方及び他方の係止部を配置し、次に内材をスライドするだけで、複数の羽根材を同時に挟着でき、各羽根材を一つづつ嵌合孔に嵌め入れたりネジ止めする必要がないので、ガラリの組み立てが容易にできる。
また、外材に対して内材をスライドして羽根材の挟着を解除することにより、羽根材の交換が容易にできる。
【図面の簡単な説明】
【図１】図１はガラリの図であり、（ａ）は図２のガラリ窓の枠を除いて示すＡ−Ａ断面図であり、（ｂ）は（ａ）に示すガラリを上から見た平面図であり、（ｃ）は内材を抜き出して示す側面図である。
【図２】本実施の形態にかかるガラリを用いたガラリ窓の正面図である。
【図３】ガラリの変形例を示す断面図である。
【符号の説明】
１      ガラリ
７      羽根材
９      外材
１１    内材
１７    他方の係止部
２１    一方の係止部
２５    外材の係合溝
２９    内材の係合溝
【図１】
2004257012.tif 000003
【図２】
2004257012.tif 000004
【図３】
2004257012.tif 000005